(57)【要約】【課題】  コンテンツ再生装置５５において、操作部材の追加を回避しつつ、ユーザがライブラリ管理及びフォルダ管理を能率的に切替える。【解決手段】  コンテンツ検索用操作部材５６は弱押し及び強押しにより操作される。第１のユーザ指示検出手段５７は、同一の検索系統内における項目選択用検索画面の切替に係る第１のユーザ指示を検出する。第２のユーザ指示検出手段５８は、ライブラリ管理又はフォルダ管理の所定の項目選択用検索画面へ切替える第２のユーザ指示を検出する。操作態様検出手段５９は、コンテンツ検索用操作部材５６に対する操作が弱押し及び強押しのいずれであるかを検出する。ユーザ指示実行手段６０は、コンテンツ検索用操作部材５６に対する操作がそれぞれ弱押し及び強押しであれば、それぞれ第１及び第２のユーザ指示を実行する。【選択図】      図１１
2007172767.tif 000002
【特許請求の範囲】
【請求項１】
複数個の操作態様による操作が可能となっているコンテンツ検索用操作部材、
コンテンツを検索するための複数個の検索系統及び各検索系統の検索階層が定義され、同一の検索系統内における検索階層間の項目選択用検索画面の切替に係るユーザ指示として前記コンテンツ検索用操作部材に割り当てられている第１のユーザ指示を検出する第１のユーザ指示検出手段、
切替前の項目選択用検索画面の検索系統に関係なく所定の検索系統の所定の項目選択用検索画面へ切替えるユーザ指示として前記コンテンツ検索用操作部材に割り当てられている第２のユーザ指示を検出する第２のユーザ指示検出手段、
前記コンテンツ検索用操作部材に対する操作の操作態様を検出する操作態様検出手段、及び
前記コンテンツ検索用操作部材に対する操作が第１及び第２の操作態様であればそれぞれ第１及び第２のユーザ指示を実行するユーザ指示実行手段、
を有していることを特徴とするコンテンツ再生装置。
【請求項２】
前記コンテンツ検索用操作部材に割り当てられている第２のユーザ指示がフォルダ管理の項目選択用検索画面への切替に関するものである場合に、前記コンテンツ検索用操作部材に対する第２の操作態様の操作直前の項目選択用検索画面がライブラリ管理の項目選択用検索画面であるときには、該第２のユーザ指示は、ライブラリ管理の項目選択用検索画面において選択されていた項目に属するファイルを選択する項目選択用検索画面へ切替えるユーザ指示を第２のユーザ指示として検出する前記第２のユーザ指示検出手段、
を有していることを特徴とする請求項１記載のコンテンツ再生装置。
【請求項３】
複数個の操作態様による操作が可能となっているコンテンツ検索用操作部材、
コンテンツを検索するための複数個の検索系統及び各検索系統の検索階層が定義され、同一の検索系統内における検索階層間の項目選択用検索画面の切替に係るユーザ指示として前記コンテンツ検索用操作部材に割り当てられている第１のユーザ指示を検出する第１のユーザ指示検出手段、
前記コンテンツ検索用操作部材に割り当てられているユーザ指示であって該操作前の項目選択用検索画面の検索系統に関係なく選択された所定の検索系統の所定の項目選択用検索画面の複数個を一群として該一群内で順番が定義され、該順番に従い該一群内の各項目選択用検索画面へ切替える第３のユーザ指示を検出する第３のユーザ指示検出手段、及び
前記コンテンツ検索用操作部材に対する操作が第１及び第２の操作態様であればそれぞれ第１及び第３のユーザ指示を実行するユーザ指示実行手段、
を有していることを特徴とするコンテンツ再生装置。
【請求項４】
前記コンテンツ検索用操作部材とは別のコンテンツ検索用操作部材、
前記別のコンテンツ検索用操作部材に割り当てられているユーザ指示であって前記順番とは逆の順番に従い前記一群内の各項目選択用検索画面へ切替える第４のユーザ指示を検出する第４のユーザ指示検出手段、
前記別のコンテンツ検索用操作部材に対する操作の操作態様を検出する前記操作態様検出手段、及び
前記別のコンテンツ検索用操作部材に対するユーザ指示が第２の操作態様であれば第４のユーザ指示を実行する前記ユーザ指示実行手段、
を有していることを特徴とする請求項３記載のコンテンツ再生装置。
【請求項５】
前記操作態様とは、浅押しと深押しとの操作態様、弱圧と強圧との操作態様、又は大きいタッチ面積と小さいタッチ面積との操作態様であることを特徴とする請求項１〜４のいずれかに記載のコンテンツ再生装置。
【請求項６】
複数個の検索系統には、ライブラリ管理の検索系統及びフォルダ管理の検索系統が含まれることを特徴とする請求項１〜５のいずれかに記載のコンテンツ再生装置。
【請求項７】
複数個の操作態様による操作が可能となっているコンテンツ検索用操作部材を装備するコンテンツ再生装置の制御方法であって、
前記コンテンツ検索用操作部材に対する操作の操作態様を検出するステップ、
前記コンテンツ検索用操作部材に対する操作が第１の操作態様であれば、同一の検索系統内における検索階層間の項目選択用検索画面の切替に係るユーザ指示として前記コンテンツ検索用操作部材に割り当てられている第１のユーザ指示を実行するステップ、及び
前記コンテンツ検索用操作部材に対する操作が第２の操作態様であれば、切替前の項目選択用検索画面の検索系統に関係なく所定の検索系統の所定の項目選択用検索画面へ切替えるユーザ指示として前記コンテンツ検索用操作部材に割り当てられている第２のユーザ指示を実行するステップ、
を有していることを特徴とするコンテンツ再生装置用制御方法。
【請求項８】
複数個の操作態様による操作が可能となっているコンテンツ検索用操作部材を装備するコンテンツ再生装置において、
前記コンテンツ検索用操作部材に対する操作の操作態様を検出するステップ、
前記コンテンツ検索用操作部材に対する操作が第１の操作態様であれば、同一の検索系統内における検索階層間の項目選択用検索画面の切替に係るユーザ指示として前記コンテンツ検索用操作部材に割り当てられている第１のユーザ指示を実行するステップ、及び
前記コンテンツ検索用操作部材に対する操作が第２の操作態様であれば、前記コンテンツ検索用操作部材に割り当てられているユーザ指示であって該操作前の項目選択用検索画面の検索系統に関係なく選択された所定の検索系統の所定の項目選択用検索画面の複数個を一群として該一群内で順番が定義され、該順番に従い該一群内の各項目選択用検索画面へ切替える第３のユーザ指示を実行するステップ、
を有していることを特徴とするコンテンツ再生装置用制御方法。
【請求項９】
請求項１〜６のいずれかに記載のコンテンツ再生装置の各手段としてコンピュータを機能させるためのプログラム。
【発明の詳細な説明】
【技術分野】
【０００１】
本発明は、ハードディスク内蔵型ポータブル音楽再生装置等のコンテンツ再生装置、制御方法及びプログラムに関するものである。
【背景技術】
【０００２】
ハードディスク内蔵型ポータブル音楽再生装置は、楽曲を、ＭＰ３（MPEG1 Audio Layer3)やＷＭＡ（Windows Media Audio）のような圧縮ファイルで保存している。ハードディスク内蔵型ポータブル音楽再生装置は、前面に例えばタクトスイッチを用いたプッシュ式キーを複数個、装備している。ユーザは、ハードディスク内蔵型ポータブル音楽再生装置のプッシュ式キーを操作して、所望の楽曲を表示器に表示させて、それを選択し、ハードディスク内蔵型ポータブル音楽再生装置は、ユーザが選択した楽曲に係るファイルをハードディスク装置から読み出して、再生するようになっている。
【０００３】
ユーザに、所望の楽曲を選択させる検索系統として「ライブラリ管理」及び「フォルダ管理」を定義する。ライブラリ管理とは、音楽ファイルに付随するタグ情報を基にする検索系統である。タグ情報とは、その音楽ファイルのアーティスト名やアルバム名、ジャンル名等を指す（例：後述の図６）。ライブラリ管理では、そのトップ画面（最上位階層）においてタグ項目である”アーティスト”、”アルバム”、”ジャンル”が上下方向の配列リストで表示されている（例：後述の図７（ａ））。
【０００４】
ユーザは、例えば中央のプッシュ式キーに対して上側又は下側のプッシュ式キーを押下して、現在選択中であることを示す項目（例：ハイライト表示の項目）を上方向又は下方向へ１個ずつ移動させる。そして、中央のプッシュ式キーが押下されると、画面はハイライト項目の下の階層の項目選択用検索画面へ切替わるようになっている。
【０００５】
ライブラリ管理では、ユーザは、トップ階層の項目選択用検索画面（例：後述の図７（ａ））に切替えてから、アーティストを検索したいときは、”アーティスト”を、アルバムを検索したいときは”アルバム”を、また、ジャンルを検索したいときは”ジャンル”を、それぞれトップ画面においてハイライトさせておき、中央のプッシュ式キーを押下すると、それぞれアーティスト一覧（例：後述の図７（ｂ））、アルバム一覧（例：後述の図７（ｃ））、ジャンル一覧（例：後述の図７（ｄ））の項目選択用検索画面になる。なお、ユーザが、楽曲名一覧の項目選択用検索画面（例：後述の図７（ｅ））において、所定の楽曲名を選択して、中央のプッシュ式キーを押下すると、該楽曲名の楽曲の再生が開始される。
【０００６】
フォルダ管理とは、ハードディスクに記録されたフォルダ名やファイル名を基にする検索系統である。フォルダ管理のトップ検索階層の項目選択用検索画面（例：後述の図８（ａ））では、ルート直下の階層のフォルダ名が上下方向の配列リストで表示される。フォルダ管理におけるプッシュ式キーの操作はライブラリ管理の場合と同様であり、上側又は下側のプッシュ式キーを押下して、ハイライトを上又は下へ１個ずつ移動させ、中央のプッシュ式キーを押下すると、押下前にハイライトされている項目の下の階層の項目選択用検索画面へ切替わる。ただし、ハイライトされている項目がファイルの場合（例：後述の図８（ｃ））、中央のプッシュ式キーが押下されると、該ファイルの再生が開始される。
【０００７】
従来のハードディスク内蔵型ポータブル音楽再生装置におけるライブラリ管理とフォルダ管理を切替える典型的な方式について述べる。
【０００８】
第１の切替方式では、ライブラリ管理のトップ画面の項目に”フォルダ”を追加し、それをライブラリ管理及びフォルダ管理の共通のトップ画面とする。そして、フォルダ名やファイル名のフォルダ管理により検索したい場合は、共通のトップ画面から”フォルダ”を選択して、下位階層の項目選択用検索画面へ切替える。また、タグ項目のライブラリ管理により検索したい場合には、共通のトップ画面から”アーティスト”、”アルバム”、”ジャンル”のどれか１個を選択して、対応の下位階層の項目選択用検索画面へ切替える。
【０００９】
第２の切替方式では、ハードディスク内蔵型ポータブル音楽再生装置にライブラリ管理とフォルダ管理を切替えるプッシュ式キーを追加する。そして、該プッシュ式キーを押下すると、押下直前の項目選択用検索画面がライブラリ管理のものであれば、フォルダ管理の項目選択用検索画面へ即座に切替わり、また、押下直前の項目選択用検索画面がフォルダ管理のものであれば、ライブラリ管理の項目選択用検索画面へ即座に切替わる。
【００１０】
特許文献１は、情報選択機器において、階層化されたフォルダ情報を、インジケータ表示することを開示する（特許文献１の図３の特に（Ｂ））。そして、ユーザは、タッチパネル画面において、該画面に表示中の複数階層のフォルダの中から、１個を選択してタッチすることにより、所望の階層のフォルダへ一気に移動できるようになっている（特許文献１の段落００６４及び００６５）。
【特許文献１】特開２００３−８４８７７号公報
【発明の開示】
【発明が解決しようとする課題】
【００１１】
第１の切替方式では、共通のトップ画面においてライブラリ管理からフォルダ管理へ切替えるようになっているので、現在の項目選択用検索画面の階層が比較的浅い場合には、少ない押下操作で短時間でトップ画面へ戻って来て、ライブラリ管理−フォルダ管理間の切替が速やかにできるものの、現在の表示画面の階層が深い場合には、トップ画面に戻るまでの操作が煩雑化する。
【００１２】
第２の切替方式では、プッシュ式キーの追加が必要となるとともに、わざわざ指を該プッシュ式キーまで移動させてから、押下するので、操作能率が悪い。
【００１３】
特許文献１における階層移動は、タッチパネル画面の使用を必須としており、一般的な操作部材に適用することは困難である。
【００１４】
本発明の目的は、操作部材の追加を回避しつつ、ユーザが複数個の検索系統を能率的に切替えることができるコンテンツ再生装置、制御方法及びプログラムを提供することである。
【課題を解決するための手段】
【００１５】
本発明のコンテンツ再生装置は次のものを有している。
複数個の操作態様による操作が可能となっているコンテンツ検索用操作部材、
コンテンツを検索するための複数個の検索系統及び各検索系統の検索階層が定義され、同一の検索系統内における検索階層間の項目選択用検索画面の切替に係るユーザ指示としてコンテンツ検索用操作部材に割り当てられている第１のユーザ指示を検出する第１のユーザ指示検出手段、
切替前の項目選択用検索画面の検索系統に関係なく所定の検索系統の所定の項目選択用検索画面へ切替えるユーザ指示としてコンテンツ検索用操作部材に割り当てられている第２のユーザ指示を検出する第２のユーザ指示検出手段、
コンテンツ検索用操作部材に対する操作の操作態様を検出する操作態様検出手段、及び
コンテンツ検索用操作部材に対する操作が第１及び第２の操作態様であればそれぞれ第１及び第２のユーザ指示を実行するユーザ指示実行手段。
【００１６】
本発明の別のコンテンツ再生装置は次のものを有している。
複数個の操作態様による操作が可能となっているコンテンツ検索用操作部材、
コンテンツを検索するための複数個の検索系統及び各検索系統の検索階層が定義され、同一の検索系統内における検索階層間の項目選択用検索画面の切替に係るユーザ指示としてコンテンツ検索用操作部材に割り当てられている第１のユーザ指示を検出する第１のユーザ指示検出手段、
コンテンツ検索用操作部材に割り当てられているユーザ指示であって該操作前の項目選択用検索画面の検索系統に関係なく選択された所定の検索系統の所定の項目選択用検索画面の複数個を一群として該一群内で順番が定義され、該順番に従い該一群内の各項目選択用検索画面へ切替える第３のユーザ指示を検出する第３のユーザ指示検出手段、及び
コンテンツ検索用操作部材に対する操作が第１及び第２の操作態様であればそれぞれ第１及び第３のユーザ指示を実行するユーザ指示実行手段。
【００１７】
本発明の制御方法が適用されるコンテンツ再生装置は、複数個の操作態様による操作が可能となっているコンテンツ検索用操作部材を装備する。該制御方法は次のステップを有している。
コンテンツ検索用操作部材に対する操作の操作態様を検出するステップ、
コンテンツ検索用操作部材に対する操作が第１の操作態様であれば、同一の検索系統内における検索階層間の項目選択用検索画面の切替に係るユーザ指示としてコンテンツ検索用操作部材に割り当てられている第１のユーザ指示を実行するステップ、及び
コンテンツ検索用操作部材に対する操作が第２の操作態様であれば、切替前の項目選択用検索画面の検索系統に関係なく所定の検索系統の所定の項目選択用検索画面へ切替えるユーザ指示としてコンテンツ検索用操作部材に割り当てられている第２のユーザ指示を実行するステップ。
【００１８】
本発明の別の制御方法が適用されるコンテンツ再生装置は、複数個の操作態様による操作が可能となっているコンテンツ検索用操作部材を装備する。該別の制御方法は次のステップを有している。
コンテンツ検索用操作部材に対する操作の操作態様を検出するステップ、
コンテンツ検索用操作部材に対する操作が第１の操作態様であれば、同一の検索系統内における検索階層間の項目選択用検索画面の切替に係るユーザ指示としてコンテンツ検索用操作部材に割り当てられている第１のユーザ指示を実行するステップ、及び
コンテンツ検索用操作部材に対する操作が第２の操作態様であれば、コンテンツ検索用操作部材に割り当てられているユーザ指示であって該操作前の項目選択用検索画面の検索系統に関係なく選択された所定の検索系統の所定の項目選択用検索画面の複数個を一群として該一群内で順番が定義され、該順番に従い該一群内の各項目選択用検索画面へ切替える第３のユーザ指示を実行するステップ。
【００１９】
本発明のプログラムは、前述のいずれかのコンテンツ再生装置の各手段としてコンピュータを機能させる。
【発明の効果】
【００２０】
本発明によれば、複数個の操作態様による操作が可能となっているコンテンツ検索用操作部材を装備し、該コンテンツ検索用操作部材に対する第１の操作態様の操作では、項目選択用検索画面の切替が同一の検索系統内の項目選択用検索画面間で行われるようにし、また、第２の操作態様の操作では、切替前の項目選択用検索画面の検索系統に関係なく所定の検索系統の所定の項目選択用検索画面へ切替わるようにする。したがって、コンテンツ検索用操作部材に対する第２の操作態様の操作を行うことにより、検索系統間の項目選択用検索画面切替を迅速に行うことができる。
【発明を実施するための最良の形態】
【００２１】
図１はハードディスク内蔵型ポータブル音楽再生装置１０の前面図である。ハードディスク内蔵型ポータブル音楽再生装置１０は、前面において、カラーＬＣＤ１１と、プッシュ式キー配列部１２とを有している。プッシュ式キー配列部１２は、中央プッシュ式キー１４と、中央プッシュ式キー１４の上側に配備される上側プッシュ式キー１６と、中央プッシュ式キー１４の右側に配備されている右側プッシュ式キー１７と、中央プッシュ式キー１４の下側に配備されている下側プッシュ式キー１８と、中央プッシュ式キー１４の左側に配備されている左側プッシュ式キー１９と、上側プッシュ式キー１６とほぼ同じ高さで左側辺に寄せて配備されているモード選択用プッシュ式キー２１とを有している。ヘッドホン２４は、ユーザの左右の耳に装填される左右の装填部２５ａ，２５ｂと、一端側においてハードディスク内蔵型ポータブル音楽再生装置１０の本体の上部のジャックに挿抜自在に挿入され、他端側において分岐して装填部２５ａ，２５ｂに接続されるオーディオ信号線２６とを有している。
【００２２】
図２はハードディスク内蔵型ポータブル音楽再生装置１０の概略構成図である。ハードディスク内蔵型ポータブル音楽再生装置１０は、制御部３０、表示部３１、入力部３２、出力部３３及びハードディスク３４を有している。表示部３１はカラーＬＣＤ１１に対応し、入力部３２はプッシュ式キー配列部１２に対応し、出力部３３はヘッドホン２４に対応する。ハードディスク３４は、ハードディスク内蔵型ポータブル音楽再生装置１０に内蔵され、十分な記憶容量を備え、ＭＰ３やＷＭＡの楽曲ファイルを、著作権管理のために暗号化したフォーマットのファイルへ変換して、格納している。なお、本明細書で楽曲とは、単に、音楽だけでなく、語学学習、講習及び落語等のすべてのオーディオのオブジェクトを包含するものとする。
【００２３】
制御部３０は、入力部３２からユーザ指示を受付け、ユーザ指示に基づき表示部３１の表示やハードディスク３４のファイルデータの読出しを制御するとともに、ユーザ指示に対応する楽曲を出力部３３へ出力する。
【００２４】
図３は二重プッシュ式キー及びそのスイッチング状態判別回路の電気回路図である。二重プッシュ式キーとは、ユーザによる強押しと弱押しに対してそれぞれ深い押込み位置と浅い押込み位置とへ変位し、押込み力を解除すると、元の非押込み位置へ復帰するものである。図１のモード選択用プッシュ式キー２１以外の全部のプッシュ式キー、すなわち、中央プッシュ式キー１４、上側プッシュ式キー１６、右側プッシュ式キー１７、下側プッシュ式キー１８及び左側プッシュ式キー１９は二重プッシュ式キーとなっている。このような二重プッシュ式キーとして、例えばアルプス電気（株）の製品番号ＳＫＲＮＰＡＥ010，ＳＫＲＮＰＢＥ010，ＳＫＲＮＰＣＥ010，ＳＫＲＮＰＤＥ010，ＳＫＲＮＰＥＥ010のものが市販されている。
【００２５】
二重プッシュ式キーはスイッチ３７，３８を有している。二重プッシュ式キーの押込み解除状態では、スイッチ３７，３８は共にオフである。二重プッシュ式キーの弱押し状態では、スイッチ３７，３８はそれぞれオン、オフとなる。二重プッシュ式キーの強押し状態では、スイッチ３７，３８は共にオンになる。
【００２６】
基準電圧端子４１は、ハードディスク内蔵型ポータブル音楽再生装置１０の電源投入中、＋の所定電圧を印加され、抵抗４２及び抵抗４３を介してアースへ接続される。抵抗４２と抵抗４３との接続点４４は制御部３０の入力端子へ接続される。制御部３０は接続点４４の電圧から二重プッシュ式キーの強押し状態、弱押し状態及び非押込み状態を判別する。接続点４４は、スイッチ３７及び抵抗４７を介してアースへ接続され、スイッチ３７と抵抗４７との接続点はスイッチ３８及び抵抗４８を介してアースへ接続される。
【００２７】
スイッチ３７，３８が共にオフになっているときは、すなわち二重プッシュ式キーが非押込み状態にあるときは、接続点４４の電圧は、抵抗４２と抵抗４３との抵抗比に基づき決まる。スイッチ３７，３８がそれぞれオン及びオフになっているときは、すなわち二重プッシュ式キーが弱押し状態にあるときは、接続点４４の電圧は、抵抗４２と、抵抗４３，４７の並列抵抗との抵抗比に基づき決まる。スイッチ３７，３８が共にオンになっているときは、すなわち二重プッシュ式キーが強押し状態にあるときは、接続点４４の電圧は、抵抗４２と、抵抗４３，４７，４８の並列抵抗との抵抗比に基づき決まる。
【００２８】
図４は各プッシュ式キーの各操作態様とそれらに対して割り当てたユーザ指示との関係を示している。各プッシュ式キーの弱押しに対しては、従来のハードディスク内蔵型ポータブル音楽再生装置におけるものと同一のユーザ指示を割り当てている。なお、ハードディスク内蔵型ポータブル音楽再生装置１０におけるプッシュ式キーに対する弱押しは、従来のハードディスク内蔵型ポータブル音楽再生装置における通常の押し込み力とほぼ等しいか、わずかに小さい押込み力に設定されている。ハードディスク内蔵型ポータブル音楽再生装置１０では、中央プッシュ式キー１４を除く各プッシュ式キーに対して、従来のハードディスク内蔵型ポータブル音楽再生装置の各プッシュ式キーの押込みに対するユーザ指示に、さらに強押し時のユーザ指示が追加されることになる。これら追加されたユーザ指示についての詳細は後述する。
【００２９】
図５はハードディスク内蔵型ポータブル音楽再生装置１０のＨＤＤにおける楽曲ファイルの管理構造を例示している。ユーザは、フォルダ１〜９に対して、例えば、ジャンル名、アーティスト名、アルバ名等の具体的な名前を付けることができる。同様に、ファイル１〜１３にも、例えば、楽曲名等の具体的な名前を付けることができる。ファイル１〜１３が、ＭＰ３やＷＭＡ等のオーディオファイルに対応する。
【００３０】
フォルダ管理は図５の管理構造が基となっており、図５の管理構造は階層化された木構造となっている。第１階層はルート直下の階層であり、ルートの方から深い方へ順番に、第１、第２及び第３階層となっている。フォルダは木構造のノードに位置し、ファイルは木構造のリーフに位置する。
【００３１】
図６は各ファイルについてのタグ情報を例示している。タグには、例えば、アーティスト名、アルバム名、トラック名及びジャンルが存在する。トラック名は楽曲名とも呼ばれる。各ファイルは、オーディオデータを格納するデータ領域の他に、ヘッダ領域を備え、タグ情報はヘッダ領域に書き込まれている。
【００３２】
図７はライブラリ管理における各項目選択用検索画面を例示している。（ａ）の項目選択用検索画面はトップ画面（第１階層）の例であり、（ｂ）の項目選択用検索画面はアーティスト名の選択画面（第２階層）、（ｃ）の項目選択用検索画面はアルバム名の選択画面（第２階層）、（ｄ）の項目選択用検索画面はジャンル名の選択画面（第２階層）、（ｅ）の項目選択用検索画面はトラック名（楽曲名）の選択画面（第３階層）である。
【００３３】
図７及び後述の図８において、長方形枠で囲まれている項目は、現在選択されている項目を示し、実際には例えば項目名がハイライト表示となっている。ユーザが下側プッシュ式キー１８を弱押しするごとに、ハイライト表示される項目は１個ずつ下へ移動する。また、ユーザが上側プッシュ式キー１６を弱押しするごとに、ハイライト表示される項目は１個ずつ上へ移動する。
【００３４】
ハイライト表示の移動をサイクリック移動方式にすることもできる。すなわち、リスト（一覧）の最下行の項目名をハイライト表示している状態において、通常の移動方式では、ユーザが下側プッシュ式キー１８をさらに弱押ししても、ハイライト表示の項目は最下行の項目に止まっているが、サイクリックの移動方式では、ユーザが下側プッシュ式キー１８をさらに弱押しすると、ハイライト表示の項目は最上行の項目へ移動する。同様に、リストの最上行の項目名をハイライト表示している状態において、通常の移動方式では、ユーザが上側プッシュ式キー１６をさらに弱押ししても、ハイライト表示の項目は最上行の項目に止まっているが、サイクリックの移動方式では、ユーザが上側プッシュ式キー１６をさらに弱押しすると、ハイライト表示の項目は最下行の項目へ移動する。
【００３５】
カラーＬＣＤ１１に図７の（ａ）のトップ画面を表示させて、アーティストをハイライト表示させてから、ユーザが中央プッシュ式キー１４を弱押しすると、（ｂ）の画面へ切替わる。同様に、カラーＬＣＤ１１に図７の（ａ）のトップ画面を表示させて、アルバム及びジャンルをそれぞれハイライト表示させてから、ユーザが中央プッシュ式キー１４を弱押しすると、それぞれ（ｃ）及び（ｄ）の画面へ切替わる。ユーザは、図７の（ｂ），（ｃ）又は（ｄ）の画面で所定の項目をハイライト表示させてから、中央プッシュ式キー１４を弱押しすると、弱押し前の選択項目に属する楽曲の名前を表示する（ｅ）の画面へ切替わる。
【００３６】
図７（ｂ）〜（ｄ）の画面は、上述の弱押しの他に、図４に説明されているように、所定のプッシュ式キーの強押しによっても一気に切替えることができる。すなわち、カラーＬＣＤ１１に表示されている画面が何であっても、上側プッシュ式キー１６を強押しすると、（ｂ）の画面へ切替わり、下側プッシュ式キー１８を強押しすると、（ｃ）の画面へ切替わり、右側プッシュ式キー１７を強押しすると、（ｄ）の画面へ切替わる。また、カラーＬＣＤ１１に表示されている画面が何であっても、左側プッシュ式キー１９を強押しすることにより（ｅ）の画面に切替わる。左側プッシュ式キー１９の強押しにより切替わった（ｅ）の画面は、例えば、ハードディスク内蔵型ポータブル音楽再生装置１０の内蔵ハードディスクに記録されている全部の楽曲を１番のものから最後のものまで順番に表示するコンテンツ検索用操作部材名リスト画面となっている。
【００３７】
図８はフォルダ管理における各項目選択用検索画面を例示している。（ａ）の項目選択用検索画面はトップ画面（第１階層）の例であり、（ｂ）の項目選択用検索画面はフォルダ１の子階層（第２階層）としての項目選択用検索画面であり、（ｃ）の項目選択用検索画面はフォルダ４の子階層（第３階層）としての項目選択用検索画面である。
【００３８】
カラーＬＣＤ１１に図８の（ａ）のトップ画面を表示させて、フォルダ１をハイライト表示させてから、ユーザが中央プッシュ式キー１４を弱押しすると、（ｂ）の画面へ切替わる。同様に、カラーＬＣＤ１１に図８の（ｂ）の画面を表示させて、フォルダ４をハイライト表示させてから、ユーザが中央プッシュ式キー１４を弱押しすると、（ｃ）の画面へ切替わる。
【００３９】
図９はカラーＬＣＤ１１における各項目選択用検索画面と各項目選択用検索画面へ強押しにより切替えるプッシュ式キーとの関係を示している。図９の関係は、前述の図４におけるプッシュ式キー（強押し）とユーザ指示との関係に一致している。
【００４０】
図９において、中央の項目選択用検索画面に対してそれぞれ上側、右側、下側及び左側に配置されている項目選択用検索画面は、それぞれ図７の（ｂ）、（ｄ）、（ｃ）及び（ｅ）に対応している。に対応している。カラーＬＣＤ１１の任意の項目選択用検索画面において、ユーザが上側プッシュ式キー１６を強押しすると、図９の上端の項目選択用検索画面へ切替わる。カラーＬＣＤ１１の任意の項目選択用検索画面において、ユーザが右側プッシュ式キー１７を強押しすると、図９の右端の項目選択用検索画面へ切替わる。カラーＬＣＤ１１の任意の項目選択用検索画面において、ユーザが下側プッシュ式キー１８を強押しすると、図９の下端の項目選択用検索画面へ切替わる。カラーＬＣＤ１１の任意の項目選択用検索画面において、ユーザが左側プッシュ式キー１９を強押しすると、図９の左端の項目選択用検索画面へ切替わる。
【００４１】
図９の中央の項目選択用検索画面に対して図９の上下左右の項目選択用検索画面がカラーＬＣＤ１１に表示されている状態において、ユーザが中央プッシュ式キー１４を強押しすると、フォルダ管理の項目選択用検索画面としてのファイル名リストの項目選択用検索画面へ切替わる。その場合、ファイル名リストは、切替前の項目選択用検索画面においてハイライト表示しておいた項目に属するファイルの名前のリストとなる。例えば、図９の上端のアーティスト名リストの項目選択用検索画面において、アーティスト２がハイライト表示されている状態において、ユーザが中央プッシュ式キー１４を強押しして、中央のファイル名リストの項目選択用検索画面が出現した場合には、該項目選択用検索画面におけるファイル６，７，８は、アーティスト２の楽曲に対応するファイルとなっている。
【００４２】
中央プッシュ式キー１４を強押しした場合に、図９の中央の項目選択用検索画面を表示する代わりに、フォルダ管理の第１階層の項目選択用検索画面（例：図８（ａ））、第２階層の任意の項目選択用検索画面（例：図８（ｂ））、第３階層の任意の項目選択用検索画面（例：図８（ｃ））を表示することにより、ライブラリ管理からフォルダ管理へ一気に切替えるようにすることもできる。
【００４３】
図１０はライブラリ管理及びフォルダ管理の各項目選択用検索画面をサイクリックに切替える説明図である。図１０の上段の各項目選択用検索画面は左のものから、順番に図７（ｂ）、図７（ｃ）、図７（ｄ）に対応している。図１０の下段の各項目選択用検索画面は左のものから、順番に図８（ｃ）、図７（ｅ）に対応している。
【００４４】
図１０の切替方式では、右側プッシュ式キー１７又は下側プッシュ式キー１８を強押しするごとに、図１０の各項目選択用検索画面を時計方向の順番で切替え、また、上側プッシュ式キー１６又は左側プッシュ式キー１９を強押しするごとに、図１０の各項目選択用検索画面を反時計方向の順番で切替えるようにする。なお、最初の強押しに対して出現させる項目選択用検索画面は、図１０のどの項目選択用検索画面であってもよい。また、項目選択用検索画面の並び順は、図１０のものに限定されず、任意に設定できる。
【００４５】
図１１はコンテンツ再生装置５５のブロック図である。なお、コンテンツ再生装置５５及び後述のコンテンツ再生装置６６（図１２）において、共通する構成については、コンテンツ再生装置５５において、適宜、まとめて説明する。
【００４６】
コンテンツ再生装置５５は、コンテンツ検索用操作部材５６、第１のユーザ指示検出手段５７、第２のユーザ指示検出手段５８、操作態様検出手段５９及びユーザ指示実行手段６０を有している。コンテンツ再生装置５５，６６の一例はハードディスク内蔵型ポータブル音楽再生装置１０（図１）である。コンテンツ再生装置５５，６６は、オーディオ以外のビデオ等のコンテンツを再生するものであってもよい。コンテンツ再生装置５５，６６は、また。携帯型に限定されない。コンテンツ再生装置５５，６６においてコンテンツを記録する記憶装置は、ＨＤＤに限定されず、フラッシュメモリであってもよい。
【００４７】
コンテンツ検索用操作部材５６は、複数個の操作態様による操作が可能となっている。コンテンツを検索するための複数個の検索系統及び各検索系統の検索階層を定義する。第１のユーザ指示検出手段５７は、同一の検索系統内における検索階層間の項目選択用検索画面の切替に係るユーザ指示としてコンテンツ検索用操作部材５６に割り当てられている第１のユーザ指示を検出する。第２のユーザ指示検出手段５８は、切替前の項目選択用検索画面の検索系統に関係なく所定の検索系統の所定の項目選択用検索画面へ切替えるユーザ指示としてコンテンツ検索用操作部材５６に割り当てられている第２のユーザ指示を検出する。
【００４８】
操作態様検出手段５９は、コンテンツ検索用操作部材５６に対する操作の操作態様を検出する。ユーザ指示実行手段６０は、コンテンツ検索用操作部材５６に対する操作が第１及び第２の操作態様であればそれぞれ第１及び第２のユーザ指示を実行する。
【００４９】
コンテンツ検索用操作部材５６の一例は、中央プッシュ式キー１４、上側プッシュ式キー１６、右側プッシュ式キー１７、下側プッシュ式キー１８又は左側プッシュ式キー１９である。コンテンツ検索用操作部材５６及び後述のコンテンツ検索用操作部材６７（図１２）に対するユーザ操作の操作態様は少なくとも２個、存在する。コンテンツ再生装置５５，６６（図１２）において、コンテンツを検索するための複数個の検索系統とは例えばライブラリ管理の検索系統及びフォルダ管理の検索系統である。
【００５０】
コンテンツ検索用操作部材５６及び６７（図１２）における第１のユーザ指示、すなわち同一の検索系統内における検索階層間の項目選択用検索画面の切替に係るユーザ指示とは、例えば、図７における（ａ）→（ｂ），（ａ）→（ｃ），（ａ）→（ｄ），（ｂ）→（ｅ），（ｃ）→（ｅ），（ｄ）→（ｅ）及び図８における（ａ）→（ｂ），（ｂ）→（ｃ）である。
【００５１】
第２のユーザ指示、すなわち切替前の項目選択用検索画面の検索系統に関係なく所定の検索系統の所定の項目選択用検索画面へ切替えるユーザ指示とは、例えば、図９の各項目選択用検索画面へ切替えるユーザ指示である。
【００５２】
コンテンツ再生装置５５，６６において、操作態様とは、典型的には、浅押しと深押しとの操作態様、弱圧と強圧との操作態様、又は大きいタッチ面積と小さいタッチ面積との操作態様である。浅押しと深押しとの操作態様は、コンテンツ検索用操作部材５６，６７の押下量により判別され、浅押し及び深押しは、それぞれ押下量の小及び大に対応する。弱圧と強圧との操作態様は、コンテンツ検索用操作部材５６，６７に対する操作圧に関係するものであり、コンテンツ検索用操作部材５６，６７の裏に圧電センサー等の圧力検出器を設けて、圧力により判別される。コンテンツ検索用操作部材５６，６７に対する典型的な浅押し（浅い変位量）及び深押し（深い変位量）では、操作圧がそれぞれ小及び大となるが、操作圧がほぼ等しい浅押し及び深押しもあり得るとする。前述のハードディスク内蔵型ポータブル音楽再生装置１０における弱押し及び強押しは、それぞれ浅押しと深押しと（変位量の小及び大）に対応させているが、弱圧と強圧と（圧力の小及び大）に対応させてもよい。
【００５３】
該コンテンツ再生装置５５によれば、コンテンツ検索用操作部材５６を第１の操作態様の他に、第２の操作態様でも操作自在とし、第２の操作態様の操作では、切替前の項目選択用検索画面の検索系統に関係なく所定の検索系統の所定の項目選択用検索画面へ切替わるようにした。これにより、ユーザは、検索系統を切替えるために、手間をかけて、トップ画面へ戻る必要がなくなる。また、検索系統切替用のコンテンツ検索用操作部材を別途、追加する必要を省略することができる。
【００５４】
コンテンツ再生装置５５の実施態様によれば、第２のユーザ指示検出手段５８は、コンテンツ検索用操作部材５６に割り当てられている第２のユーザ指示がフォルダ管理の項目選択用検索画面への切替に関するものである場合に、コンテンツ検索用操作部材５６に対する第２の操作態様の操作直前の項目選択用検索画面がライブラリ管理の項目選択用検索画面（例：図９の上端、下端、左端又は右端の項目選択用検索画面）であるときには、該第２のユーザ指示は、ライブラリ管理の項目選択用検索画面において選択されていた項目に属するファイルを選択する項目選択用検索画面（例：図９の中央の項目選択用検索画面）へ切替えるユーザ指示を第２のユーザ指示として検出する。
【００５５】
図１２は別のコンテンツ再生装置６６のブロック図である。コンテンツ再生装置６６は、コンテンツ検索用操作部材６７、第１のユーザ指示検出手段６８、第３のユーザ指示検出手段６９、操作態様検出手段７０及びユーザ指示実行手段７１を有している。別のコンテンツ検索用操作部材７４及び第４のユーザ指示検出手段７５についてはコンテンツ再生装置６６の後述の具体的態様例において説明する。
【００５６】
コンテンツ検索用操作部材６７は、複数個の操作態様による操作が可能となっている。コンテンツを検索するための複数個の検索系統及び各検索系統の検索階層を定義する。第１のユーザ指示検出手段６８は、同一の検索系統内における検索階層間の項目選択用検索画面の切替に係るユーザ指示としてコンテンツ検索用操作部材６７に割り当てられている第１のユーザ指示を検出する。
【００５７】
コンテンツ検索用操作部材に割り当てられているユーザ指示であって該操作前の項目選択用検索画面の検索系統に関係なく選択された所定の検索系統の所定の項目選択用検索画面の複数個を一群として該一群内で順番を定義する。第３のユーザ指示検出手段６９は、該順番に従い該一群内の各項目選択用検索画面へ切替える第３のユーザ指示を検出する。ユーザ指示実行手段７１は、コンテンツ検索用操作部材６７に対する操作が第１及び第２の操作態様であればそれぞれ第１及び第３のユーザ指示を実行する。
【００５８】
コンテンツ検索用操作部材６７の一例は、右側プッシュ式キー１７又は下側プッシュ式キー１８である。一群内の順番とは、例えば、図１０の各項目選択用検索画面を時計方向へ順番に進むものである。
【００５９】
該コンテンツ再生装置６６によれば、ユーザは、トップ階層の項目選択用検索画面へ戻ることなく、任意の階層において、コンテンツ検索用操作部材６７を第２の操作態様で操作することにより、異なる検索系統の所定の項目選択用検索画面へ迅速に移行することができる。
【００６０】
コンテンツ再生装置６６を具体的に説明する。コンテンツ再生装置６６は、コンテンツ検索用操作部材７４及び第４のユーザ指示検出手段７５を付加的に装備可能になっている。コンテンツ検索用操作部材７４は、コンテンツ検索用操作部材６７とは別のコンテンツ検索用操作部材としてコンテンツ再生装置６６に装備される。コンテンツ検索用操作部材７４の一例は、上側プッシュ式キー１６及び左側プッシュ式キー１９である。
【００６１】
前述の順番とは逆の順番を定義する。逆の順番とは、例えば、図１０において各項目選択用検索画面を反時計方向へ進む順番である。コンテンツ検索用操作部材７４は、第４のユーザ指示検出手段７５は、コンテンツ検索用操作部材７４に割り当てられているユーザ指示であって、逆の順番に従い一群内の各項目選択用検索画面へ切替える第４のユーザ指示を検出する。操作態様検出手段７０は、コンテンツ検索用操作部材７４に対する操作の操作態様を検出する。ユーザ指示実行手段７１は、コンテンツ検索用操作部材７４に対するユーザ指示が第２の操作態様であれば、第４のユーザ指示を実行する。
【００６２】
こうして、コンテンツ検索用操作部材６７及びコンテンツ検索用操作部材７４を第２の操作態様によりそれぞれ操作することにより、一群内の各項目選択用検索画面を順方向及び逆方向へそれぞれ切替えることが可能になり、ユーザは、一群の所望の項目選択用検索画面を能率的に選択することができる。
【００６３】
図１３はコンテンツ再生装置用制御方法８０のフローチャートである。コンテンツ再生装置用制御方法８０はコンテンツ再生装置５５（図１１）に対応している。前述したように、コンテンツ再生装置５５は、複数個の操作態様による操作が可能となっているコンテンツ検索用操作部材５６を装備する。コンテンツ再生装置用制御方法８０は、コンテンツ検索用操作部材５６に対するユーザ操作が検出されると、実行される。
【００６４】
Ｓ８１では、コンテンツ検索用操作部材５６に対する操作の操作態様を検出し、操作態様が第１及び第２の操作態様のいずれであるかを判定する。Ｓ８１において、コンテンツ検索用操作部材５６に対する操作が第１の操作態様と判定されれば、Ｓ８２へ進み、また、コンテンツ検索用操作部材５６に対する操作が第２の操作態様と判定されれば、Ｓ８３へ進む。
【００６５】
Ｓ８２では、同一の検索系統内における検索階層間の項目選択用検索画面の切替に係るユーザ指示としてコンテンツ検索用操作部材５６に割り当てられている第１のユーザ指示を実行する。
【００６６】
Ｓ８３では、切替前の項目選択用検索画面の検索系統に関係なく所定の検索系統の所定の項目選択用検索画面へ切替えるユーザ指示としてコンテンツ検索用操作部材５６に割り当てられている第２のユーザ指示を実行する。
【００６７】
コンテンツ再生装置用制御方法８０における第１及び第２のユーザ指示についてのさらなる具体的態様及び好ましい態様は、コンテンツ再生装置５５において説明したものと同一である。
【００６８】
図１４はコンテンツ再生装置用制御方法８８のフローチャートである。コンテンツ再生装置用制御方法８８はコンテンツ再生装置６６（図１２）に対応している。前述したように、コンテンツ再生装置６６は、複数個の操作態様による操作が可能となっているコンテンツ検索用操作部材６７を装備する。コンテンツ再生装置用制御方法８８は、コンテンツ検索用操作部材６７に対してユーザ操作があった時、実行される。
【００６９】
Ｓ８９では、コンテンツ検索用操作部材６７に対する操作の操作態様を検出して、操作態様が第１及び第２の操作態様のいずれであるかを判定する。Ｓ８９において、コンテンツ検索用操作部材６７に対する操作が第１の操作態様と判定されれば、Ｓ９０へ進み、また、コンテンツ検索用操作部材６７に対する操作が第２の操作態様と判定されれば、Ｓ９１へ進む。
【００７０】
Ｓ９０では、同一の検索系統内における検索階層間の項目選択用検索画面の切替に係るユーザ指示としてコンテンツ検索用操作部材６７に割り当てられている第１のユーザ指示を実行する。コンテンツ検索用操作部材６７に割り当てられているユーザ指示であって該操作前の項目選択用検索画面の検索系統に関係なく選択された所定の検索系統の所定の項目選択用検索画面の複数個を一群として該一群内で順番が定義される。Ｓ９１では、該順番に従い該一群内の各項目選択用検索画面へ切替える第３のユーザ指示を実行する。
【００７１】
コンテンツ再生装置用制御方法８８には、コンテンツ再生装置６６と同様に、コンテンツ検索用操作部材７４に対する制御を付加することができる。コンテンツ検索用操作部材７４に対するユーザ操作があると、該操作の操作態様を検出する。そして、該操作の操作態様が第２の操作態様であれば、Ｓ９１の順番とは逆の順番に従い一群内の各項目選択用検索画面へ切替える第４のユーザ指示を実行する。
【００７２】
コンテンツ再生装置用制御方法８８における第１、第３及び第４のユーザ指示についてのさらなる具体的態様及び好ましい態様は、コンテンツ再生装置６６において説明したものと同一である。
【００７３】
本発明を適用したプログラムは、コンピュータをコンテンツ再生装置５５又は６６の各手段として機能させる。本発明を適用した別のプログラムは、コンテンツ再生装置用制御方法８０又は８８の各ステップをコンピュータに実行させる。
【００７４】
本発明を最良の形態について説明したが、本発明は、これに限定されず、要旨の範囲内で種々の形態により実施可能であることは言うまでもない。
【図面の簡単な説明】
【００７５】
【図１】ハードディスク内蔵型ポータブル音楽再生装置の前面図である。
【図２】ハードディスク内蔵型ポータブル音楽再生装置の概略構成図である。
【図３】二重プッシュ式キー及びそのスイッチング状態判別回路の電気回路図である。
【図４】各プッシュ式キーの各操作態様とそれらに対して割り当てたユーザ指示との関係を示す図である。
【図５】ハードディスク内蔵型ポータブル音楽再生装置のＨＤＤにおける楽曲ファイルの管理構造を例示す図である。
【図６】各ファイルについてのタグ情報を例示す図である。
【図７】ライブラリ管理における各項目選択用検索画面を例示す図である。
【００７６】
【図８】フォルダ管理における各項目選択用検索画面を例示す図である。
【図９】カラーＬＣＤにおける各項目選択用検索画面と各項目選択用検索画面へ強押しにより切替えるプッシュ式キーとの関係を示す図である。
【図１０】ライブラリ管理及びフォルダ管理の各項目選択用検索画面をサイクリックに切替える説明図である。
【図１１】コンテンツ再生装置のブロック図である。
【図１２】別のコンテンツ再生装置のブロック図である。
【図１３】コンテンツ再生装置用制御方法のフローチャートである。
【図１４】別のコンテンツ再生装置用制御方法のフローチャートである。
【符号の説明】
【００７７】
５５：コンテンツ再生装置、５６：コンテンツ検索用操作部材、５７：第１のユーザ指示検出手段、５８：第２のユーザ指示検出手段、５９：操作態様検出手段、６０：ユーザ指示実行手段、６６：コンテンツ再生装置、６７：コンテンツ検索用操作部材、６８：第１のユーザ指示検出手段、６９：第３のユーザ指示検出手段、７０：操作態様検出手段、７１：ユーザ指示実行手段、７４：別のコンテンツ検索用操作部材、７５：第４のユーザ指示検出手段、８０：コンテンツ再生装置用制御方法、８８：コンテンツ再生装置用制御方法。
【図１】
2007172767.tif 000003
【図２】
2007172767.tif 000004
【図３】
2007172767.tif 000005
【図４】
2007172767.tif 000006
【図５】
2007172767.tif 000007
【図６】
2007172767.tif 000008
【図７】
2007172767.tif 000009
【図８】
2007172767.tif 000010
【図９】
2007172767.tif 000011
【図１０】
2007172767.tif 000012
【図１１】
2007172767.tif 000013
【図１２】
2007172767.tif 000014
【図１３】
2007172767.tif 000015
【図１４】
2007172767.tif 000016